(57)【特許請求の範囲】
【請求項１】
インバート部を介して連通された流体の流入口および流出口を備えた桝本体と、
この桝本体の上部に開口して突出形成された掃除口と、
この掃除口に嵌脱自在に嵌着される開閉蓋と、
前記桝本体の側部に突設され、前記流入口および前記流出口と連通され、内周面の頂部が前記流入口の内周面の頂部よりも上側に位置するとともに内周面の底部が前記桝本体の高さ方向における前記流入口の内周面の略中心域に位置する枝管流入口とを具備し、
前記掃除口は、上端に第１の位置合わせ手段を備え、
前記開閉蓋は、上面部に前記第１の位置合わせ手段と位置合わせされる第２の位置合わせ手段を備え、裏面部が上方に湾曲した断面視略円弧状に形成され、
この裏面部は、前記開閉蓋が前記掃除口に嵌着され前記第１の位置合わせ手段および前記第２の位置合わせ手段にて位置合わせした状態で前記枝管流入口の内周面の頂部および前記流入口と前記流出口との内周面と連続した
ことを特徴とした排水桝。
【請求項２】
枝管流入口の上部は、掃除口の一部に開口された
ことを特徴とした請求項１記載の排水桝。
【請求項３】
掃除口は、上端の内周面に沿って環状の係止段部が設けられ、
開閉蓋は、前記掃除口に嵌着された状態で前記係止段部に嵌合する環状の弾性体を備えた
ことを特徴とした請求項１または２記載の排水桝。
【発明の詳細な説明】
【０００１】
【発明の属する技術分野】
本発明は、屋内および床下に設置され、インバート部を介して連通された流入口および流出口と、掃除口とを備えた排水桝に関する。
【０００２】
【従来の技術】
従来、この種の排水桝は、インバート部を介して連通された流入口および流出口を有した略筒状の桝本体を備えている。また、この桝本体の側部には、枝管流入口が突設され流入口および流出口と連通している。ここで、この枝管流入口は、桝本体の高さ方向における流入口および流出口の略中心域に設けられ、この枝管流入口の内周面の頂部は、流入口の内周面の頂部と略等しい位置、あるいは頂部よりも低く形成されている。
【０００３】
そして、流入口、流出口、および枝管流入口にはそれぞれ排水管が接続され、流入口に接続された排水管から流入した流体と、枝管流入口に接続された排水管から流入した流体とが合流し、流出口から流出する。
【０００４】
【発明が解決しようとする課題】
しかしながら、上述の排水桝では、枝管流入口の内周面の頂部が流入口の内周面の頂部と略等しい位置、あるいは頂部よりも低く位置したことにより、流入口から流入した流体が枝管流入口へと流れ込み流体が逆流し、汚物などが滞留して枝管流入口に接続された排水管が詰まるおそれがあるという問題点を有している。
【０００５】
本発明はこのような点に鑑みなされたもので、枝管流入口が詰まりにくい排水桝を提供することを目的とする。
【０００６】
【課題を解決するための手段】
請求項１記載の排水桝は、インバート部を介して連通された流体の流入口および流出口を備えた桝本体と、この桝本体の上部に開口して突出形成された掃除口と、この掃除口に嵌脱自在に嵌着される開閉蓋と、前記桝本体の側部に突設され、前記流入口および前記流出口と連通され、内周面の頂部が前記流入口の内周面の頂部よりも上側に位置するとともに内周面の底部が前記桝本体の高さ方向における前記流入口の内周面の略中心域に位置する枝管流入口とを具備し、前記掃除口は、上端に第１の位置合わせ手段を備え、前記開閉蓋は、上面部に前記第１の位置合わせ手段と位置合わせされる第２の位置合わせ手段を備え、裏面部が上方に湾曲した断面視略円弧状に形成され、この裏面部は、前記開閉蓋が前記掃除口に嵌着され前記第１の位置合わせ手段および前記第２の位置合わせ手段にて位置合わせした状態で前記枝管流入口の内周面の頂部および前記流入口と前記流出口との内周面と連続したものである。
【０００７】
そして、枝管流入口の内周面の頂部が流入口の内周面の頂部よりも上側に位置し、かつ、枝管流入口の内周面の底部が、桝本体の高さ方向における流入口の内周面の略中心域に位置することにより、流入口から流入した流体が枝管流入口に流入して逆流しない。この結果、流体とともに流れてきた汚物などが枝管流入口近傍に滞留などしないため、枝管流入口に接続された排水管などが詰まりにくく、掃除口に開閉蓋を嵌着することにより、掃除口から排水の臭気および排水が外に漏れることを防止でき、かつ、開閉蓋を掃除口に嵌着し、第１の位置合わせ手段および第２の位置合わせ手段を位置合わせすることにより、上方に湾曲した断面視略円弧状に形成された開閉蓋の裏面部が、枝管流入口の内周面の頂部および流入口と流出口との内周面と連続して、枝管流入口から流入した流体がこの開閉蓋の裏面部に沿って円滑に流れ、流入口から流入した流体と円滑に合流する。
【０００８】
請求項２記載の排水桝は、請求項１記載の排水桝において、枝管流入口の上部は、前記掃除口の一部に開口されたものである。
【０００９】
そして、枝管流入口の上部は、掃除口の一部に開口されたことにより、枝管流入口を長くすることなく開口断面積を確保できるため、桝本体および枝管流入口をこの掃除口から容易に掃除できる。
【００１０】
請求項３記載の排水桝は、請求項１または２記載の排水桝において、掃除口は、上端の内周面に沿って環状の係止段部が設けられ、開閉蓋は、前記掃除口に嵌着された状態で前記係止段部に嵌合する環状の弾性体を備えたものである。
【００１１】
そして、開閉蓋を掃除口に嵌着すると、掃除口の上端の内周面に沿って設けられた環状の係止段部に環状の弾性体が嵌合することにより、内部が気密に保たれるため、内部からの臭気および排水の漏れを防止できる。
【００１２】
【発明の実施の形態】
以下、本発明の排水桝の一実施の形態の構成を図１ないし図８を参照して説明する。
【００１３】
図１において、１は排水桝であり、この排水桝１は、たとえば塩化ビニルなどの樹脂にて略筒状に形成された桝本体２と、この桝本体２の側部にこの桝本体２の軸方向と略直交して突設された略筒状の枝管流入口３とを備えている。この桝本体２は、図３に示すように、流入口４および流出口５を有し、これら流入口４および流出口５はインバート部６を介して連通されている。また、このインバート部６と流入口４および流出口５との連接部には、図５に示すように、流入口４および流出口５の内周面に沿って環状の位置決め段部11，12が突出形成されている。これら位置決め段部11，12により、流入口４および流出口５に接続される図示しない排水管が位置決めされる。
【００１４】
一方、枝管流入口３は、流入口４および流出口５よりも径小に形成されており、これら流入口４および流出口５と連通されている。また、枝管流入口３と桝本体２との連接部には、枝管流入口３の内周面に沿って環状の位置決め段部13が突出形成されている。この位置決め段部13によって、枝管流入口３に接続される図示しない排水管が位置決めされる。さらに、枝管流入口３は、内周面の頂部14が流入口４の頂部15よりも上側に位置し、内周面の底部16が桝本体２の高さ方向における流入口４の略中心域に位置している。
【００１５】
また、桝本体２の略中心域の上側には、略筒状の掃除口21が開口して突出形成されている。この掃除口21は、桝本体２および枝管流入口３の軸方向に略直交する鉛直上方向に突出し、枝管流入口３よりもわずかに径小に形成されている。さらに、掃除口21の一部には、枝管流入口３の上部22が開口され、この掃除口21の内周面には、この掃除口21の内周面に沿って環状の係止段部23が形成されている。また、掃除口21におけるこの係止段部23の下側の内周面には、この係止段部23に隣接して環状の雌ねじ部24が形成されている。さらに、掃除口21の上端には、第１の位置合わせ手段としての目印25が刻設されている。
【００１６】
そして、図８に示すように、掃除口21には、開閉蓋31が嵌着される。この開閉蓋31は、図６に示すように、有底円筒状の蓋本体32を備えている。この蓋本体32の上端外縁には、この上端外縁に沿って環状のフランジ部33が突出して形成されている。また、開閉蓋31の上面部であるフランジ部33の上面部34には、第２の位置合わせ手段としての目印35が刻設されている。この目印35を目印25と位置合わせすることにより、開閉蓋31の桝本体２に対する位置合わせをする。さらに、蓋本体32の下側面には、開閉蓋31の裏面部である曲面部36が形成されている。この曲面部36は、図６および図８に示すように、上方に湾曲し断面視で一端が他端よりも下側に位置した略円弧状に形成されている。この曲面部36は、開閉蓋31を掃除口21に嵌着した状態で、頂部14、および流入口４と流出口５の内周面における枝管流入口３と反対側の側部と滑らかに連続している。
【００１７】
さらに、蓋本体32における曲面部36の上側には、たとえば４つの略円柱形状の突起41が、フランジ部33よりも上方に突出して鉛直上方向に突設されている。これら突起41は、図７に示すように、蓋本体32の周方向に沿って等間隔に離間されて形成されている。また、蓋本体32の外周面におけるフランジ部33の下側には、断面視で略凹弧状の環状の嵌合溝42が設けられ、この嵌合溝42には、環状の弾性体としてのたとえばゴムなどにて形成された断面視で略円形状のシールリング42aが取り付けられている。さらに、蓋本体32の外周面におけるシールリング42aの下側には、雄ねじ部43が形成されている。この雄ねじ部43と雌ねじ部24との螺合により、開閉蓋31が掃除口21に嵌着するとともに、シールリング42aが掃除口21の係止段部23に嵌合して桝本体２内を気密に保つ。
【００１８】
次に、上記一実施の形態の作用を説明する。
【００１９】
まず、開閉蓋31を掃除口21に嵌挿し、この開閉蓋31を回転させることにより、開閉蓋の雄ねじ部43を掃除口21の雌ねじ部24に螺合させて、開閉蓋31を桝本体２に嵌脱自在に嵌着する。
【００２０】
このとき、開閉蓋31の目印35を掃除口21の目印25に位置合わせすることにより、開閉蓋31の曲面部36が枝管流入口３の頂部14、および流入口４と流出口５の内周面における枝管流入口３と反対側の側部と滑らかに連続する。
【００２１】
同時に、シールリング42aが係止段部23に嵌合し、桝本体２の内部を気密に保つ。
【００２２】
次いで、排水桝１の流入口４、および流出口５に、図示しない排水管を、それぞれ位置決め段部11，12まで嵌挿する。同様に、枝管流入口３にも図示しない排水管を位置決め段部13まで嵌挿する。
【００２３】
さらに、開閉蓋31の雄ねじ部43を掃除口21の雌ねじ部24に螺合させて、この開閉蓋31を桝本体２に嵌着する。
【００２４】
そして、たとえば屋内に設置された排水設備などからの排水が、流入口４および枝管流入口３に接続された図示しない排水管から流入する。
【００２５】
このとき、枝管流入口３の内周面の頂部14が流入口４の内周面の頂部15よりも上側に位置しているため、流入口４から流入した排水が枝管流入口３に逆流しにくく、排水とともに流入した汚物、あるいは紙などの比較的流れにくいごみなどが枝管流入口３に接続された図示しない排水管内に滞留しにくい。
【００２６】
さらに、枝管流入口３から流入した排水は、開閉蓋31の曲面部36に当たり、この曲面部36の形状に沿って流入口４から流入した排水と合流し、流出口５へと円滑に流れる。
【００２７】
また、排水桝１の内部を掃除する際には、突起41の間にたとえば図示しないドライバなどを通し、この図示しないドライバなどを開閉蓋31の周方向に沿って回転させることにより、雄ねじ部43と雌ねじ部24と螺合の螺合を弛めて開閉蓋31を掃除口21から取り外す。
【００２８】
そして、この掃除口21から図示しない掃除具を挿入して内部に付着、あるいは沈殿した汚物などを掃除するとともに、ごみを除去する。
【００２９】
上述したように、上記一実施の形態によれば、枝管流入口３の内周面の頂部14が流入口４の内周面の頂部15よりも上側に位置したことにより、流入口４から流入した排水が枝管流入口３に流入して逆流しないため、排水とともに流れてきた汚物、あるいは紙などの比較的流れにくいごみなどが枝管流入口３内に滞留などしないので、枝管流入口３に接続された図示しない排水管内が詰まりにくくできる。
【００３０】
また、掃除口21に開閉蓋31を嵌着することにより、掃除口21からの排水の臭気および排水が外へ漏れることが防止でき、さらにシールリング42aにより、桝本体２の内部を気密に保つため、桝本体２の内部の臭気および排水をより外へ漏れにくくできる。
【００３１】
加えて、枝管流入口３の上部22が掃除口21の一部に開口したことにより、枝管流入口３を長くすることなくこの枝管流入口３の断面積を確保できるため、桝本体２および枝管流入口３をこの掃除口21から容易に掃除できる。
【００３２】
さらに、枝管流入口３の内周面の底部16は、桝本体２の高さ方向における流入口４の内周面の略中心域に位置したことにより、流入口４から桝本体２に流入した排水がより流入口４に流入しにくい。
【００３３】
そして、曲面部36は、目印25と目印35とを位置合わせして開閉蓋31を掃除口21に嵌着した状態で枝管流入口３の流入口22の内周面の頂部および流入口４と流出口５との内周面と連続したことにより、枝管流入口３から流入した排水がこの曲面部36に沿って円滑に流れることができ、流入口４から流入した排水と円滑に合流できる。
【００３４】
なお、上記一実施の形態において、桝本体２および枝管流入口３を容易に掃除できれば、枝管流入口３の上部22は掃除口21の一部に開口されていなくてもよい。
【００３５】
また、枝管流入口３の内周面の底部16は、流入口４からの排水が枝管流入口３に流入しにくければ、桝本体２の高さ方向における流入口４の内周面の略中心域よりも上側、あるいは下側に位置してもよい。
【００３６】
さらに、開閉蓋31の曲面部36は、枝管流入口３から流入した排水が円滑に流出口５から排水されれば、上方に湾曲した断面視略円弧状でなくてもよく、また、開閉蓋31を掃除口21に嵌着した状態で枝管流入口３の内周面の頂部14および流入口４と流出口５との内周面と滑らかに連続していなくてもよい。
【００３７】
そして、枝管流入口３は、排水の流入口４から排水桝１への流入方向に対して４５°ほどの角度に突設されていても、同様の効果を奏することができる。
【００３８】
また、排水桝１は、複数連結して使用してもよく、単独で使用してもよい。
【００３９】
さらに、シールリング42aは、開閉蓋31のみで桝本体２の内部を十分に気密に保つことができれば、取り付けなくてもよい。
【００４０】
【発明の効果】
請求項１記載の排水桝によれば、枝管流入口の内周面の頂部が流入口の内周面の頂部よりも上側に位置し、かつ、枝管流入口の内周面の底部が、桝本体の高さ方向における流入口の内周面の略中心域に位置することにより、流入口から流入した流体が枝管流入口に流入して逆流しない。この結果、流体とともに流れてきた汚物などが枝管流入口近傍に滞留などしないため、枝管流入口に接続された排水管などが詰まりにくくでき、掃除口に開閉蓋を嵌着することにより、掃除口から排水の臭気および排水が外に漏れることを防止でき、かつ、開閉蓋を掃除口に嵌着し、第１の位置合わせ手段および第２の位置合わせ手段を位置合わせすることにより、上方に湾曲した断面視略円弧状に形成された開閉蓋の裏面部が、枝管流入口の内周面の頂部および流入口と流出口との内周面と連続して、枝管流入口から流入した流体がこの開閉蓋の裏面部に沿って円滑に流れ、流入口から流入した流体と円滑に合流できる。
【００４１】
請求項２記載の排水桝によれば、請求項１記載の排水桝の効果に加え、枝管流入口の上部は、掃除口の一部に開口されたことにより、枝管流入口を長くすることなく開口断面積を確保できるため、桝本体および枝管流入口をこの掃除口から容易に掃除できる。
【００４２】
請求項３記載の排水桝によれば、請求項１または２記載の排水桝の効果に加え、開閉蓋を掃除口に嵌着すると、掃除口の上端の内周面に沿って設けられた環状の係止段部に環状の弾性体が嵌合することにより、内部が気密に保たれるため、内部からの臭気および排水の漏れを防止できる。
【図面の簡単な説明】
【図１】  本発明の排水桝の一実施の形態を示す縦断正面図である。
【図２】  同上排水桝を示す正面図である。
【図３】  同上排水桝を示す平面図である。
【図４】  同上排水桝を示す側面図である。
【図５】  同上排水桝を示す縦断側面図である。
【図６】  同上排水桝の開閉蓋の嵌着状態を示す縦断正面図である。
【図７】  同上排水桝の開閉蓋を示す側面図である。
【図８】  同上排水桝の開閉蓋を示す平面図である。
【符号の説明】
１    排水桝
２    桝本体
３    枝管流入口
４    流入口
５    流出口
６    インバート部
14    頂部
15    頂部
16    底部
21    掃除口
22    上部
23    係止段部
25    第１の位置合わせ手段としての目印
31    開閉蓋
34    上面部
35    第２の位置合わせ手段としての目印
36    裏面部としての曲面部
42a   弾性体としてのシールリング
【図１】
0003927402.tif 000002
【図２】
0003927402.tif 000003
【図３】
0003927402.tif 000004
【図４】
0003927402.tif 000005
【図５】
0003927402.tif 000006
【図６】
0003927402.tif 000007
【図７】
0003927402.tif 000008
【図８】
0003927402.tif 000009